(57)【特許請求の範囲】
【請求項１】
第1回路板に取り付けるための、上方パネルおよび一対の下方に垂れ下がっている脚を有する導電物質の隔離部材と、
隔離部材に面して第2回路板に取り付けるための、導電物質のシートから形成されたばねクリップ部材とを含み、
ばねクリップ部材は第2回路板へ結合のための基部と、２つの回路板が共に結合されるとき隔離部材と弾力のある係合のため基部から突出している1対のばね腕とを有し、それにより隔離部材とばねクリップ部材とが共に２つの板間の接地結合を提供し、かつ隔離部材が第1の回路板方向への第2回路板の片寄りを制限する、
１つの回路板を他の回路板ヘ接地接続する接地クリップ装置。
【請求項２】
前記隔離部材が外側スペーサ表面とスペーサ表面から垂れ下っている1対の対向する表面とを有し、ばねクリップ腕は部材が共に連合されるとき少なくとも1つの表面に対して押圧する手段を含む請求項１に請求された装置。
【請求項３】
前記ばね腕が互いに向かって内側へ曲げられた請求項２に請求された装置。
【請求項４】
各ばね腕が少なくとも円の主要な部分を形成するように曲げられ、他のばね腕に面して内側に面して曲げられた部分を有し、内側に面して曲げられた部分が前記隔離部材の対向する表面と係合する手段を含む請求項３に請求された装置。
【請求項５】
前記ばねクリップが口ひげ形である請求項４に請求された装置。
【請求項６】
各ばね腕がＶ形であり、他のばね腕に向かって内側に面する頂点を有する請求項１に請求された装置。
【請求項７】
ばね腕が互いから外側へ離れて傾斜される請求項１に請求された装置。
【請求項８】
板間に予定の空間を有して互いに固定され、各板が他の板に面する内側表面を有し、板の1つが接地するために接続された接地パッドを有する1対の回路板と、
１つの板の内表面に結合された少なくとも１つのスペーサ部材であって、導電物質で作られかつ上方パネルおよび一対の下方に垂れ下がっている脚を有する少なくとも１つのスペーサ部材と、
スペーサ部材に面する他の板の内側表面に結合された導電物質のシートから形成されたばねクリップ部材とを含み、
１つの部材が接地パッドに接続され、
ばねクリップ部材が２つの板間に接地接続を構成するためスペーサ部材に対してバイアスされた1対の対向するばね腕を有し、スペーサ部材が互いに向かう板の片寄りに抵抗する回路板組立体。
【請求項９】
スペーサ部材が外側スペーサ表面およびスペーサ表面から垂れ下りそれぞれ板に取り付けられた1対の下方に垂れ下がっている脚を有し、ばね腕がスペーサ部材の脚に係合される請求項８に請求された組立体。
【請求項１０】
ばね腕が隔離部材のスペーサ表面とばねクリップ部材が取り付けられるそれぞれの板との間で圧縮される請求項８に請求された組立体。
【請求項１１】
各ばね腕が少なくとも円の主要な部分を形成するように曲げられ、他のばね腕に面して内側に面して曲げられた部分を有し、内側に面して曲げられた部分が隔離部材に係合する請求項８に請求された組立体。
【請求項１２】
前記ばねクリップが口ひげ形である請求項11に請求された組立体。
【請求項１３】
各ばね腕がＶ形であり、他のばね腕に向かって内側に面する頂点を有する請求項８に請求された組立体。
【請求項１４】
ばね腕が隔離部材のスペーサ表面とばねクリップ部材が取り付けられる板との間でアコーデオンのような方法で圧縮される請求項13に請求された組立体。
【請求項１５】
ばね腕が隔離部材と係合する請求項13に請求された組立体。
【請求項１６】
ばね腕が互いから外側へ離れて傾斜され、隔離部材と係合する請求項８に請求された組立体。
【発明の詳細な説明】
【０００１】
発明の背景
本発明は全般的に２つの回路板即ちプリント配線板間の接地接続の構造に係り、特に主プリント配線板がキーボードの下に固定されるようなセルラーまたは他の携帯電話、計算機のような電子的ユニットに関する。
【０００２】
キーボードおよびプリント配線板は全般的に板の周辺でねじ等の締結装置により互いに固定される。しかしながら、キーボードまたはパネル物質の柔軟性により、キーが押し下げられるときキーボードの片寄りが起り、下に横たわるプリント配線板はキーボードをあまり大きな片寄りから防ぐためにバンプまたは突起を設けられるかもしれない。両板は接地されねばならない。
【０００３】
発明の概要
本発明の目的は、主印刷配線板および上に横たわるキーボードのような２つの印刷配線板を結合する、新規かつ改良された隔離および接地装置を提供することにある。
【０００４】
本発明によれば、１つの回路板を他の回路版に接地結合する接地クリップ装置が提供され、それは第1の回路板に取り付ける導電物質の隔離部材と、隔離部材に面して第2の回路板に取り付ける導電物質のばねクリップ部材とを含み、ばねクリップ部材は第2回路板へ結合する基部と、２つの回路板が共に結合されるとき隔離部材と弾力のある係合のため基部から突出している1対のばね腕とを有し、それにより隔離部材とばねクリップ部材とが共に２つの板間の接地結合を提供し、かつ隔離部材が第2回路板の片寄りを制限する。
【０００５】
好ましくは、隔離部材は外側スペーサ表面およびスペーサ表面から垂れ下っている1対の対向表面を有し、ばねクリップは２つの板が共に結合されるとき表面の少なくとも1つに対して押圧するように設計される。一実施例において、ばねクリップは互いに内側に向かって曲げられたばね腕を有する“口ひげ”形であり、その結果各腕は少なくとも円の主要部分を形成し、隔離部材表面に対して押圧するための内側に面した曲げられた部分を有する。板が共に結合されるとき、ばね腕は隔離部材の対向する表面にかみつく。隔離部材の高さは２つの板間の所望の“隔離”、または板が適当な締結装置で共に結合されるとき板間の分離にしたがって選択される。
【０００６】
他の実施例において、ばね腕は各々内側に面しているＶの頂点を有するＶ形である。板が共に結合されるとき、腕は隔離部材の外側スペーサ表面により圧縮されるか、代わりに隔離部材の外側対向表面にかみつく。何れの場合においても、腕は接地結合が構成されることを確保するため隔離部材のそれぞれの表面に対してバイアスされる。
【０００７】
他の変形例において、ばね腕は互いから外側に離れて傾斜され、板が共に結合されるとき隔離部材により外側へバイアスされ、さらに接地結合が板間に構成されることを確保する。典型的に、部材の１つが板の１つの接地パッドにはんだ付けされ、その結果接地結合即ち接続が他の板へ提供される。
【０００８】
発明の他の面によれば、板間に予定の空間を有して互いに結合された1対の回路板を含み、各板は他の板に面する内側表面を有し、板の1つは接地するために接続された接地パッドを有し、少なくとも１つのスペーサ部材が板の１つの内表面に結合され、接地クリップ部材がスペーサ部材に面する他の板の内側表面に結合され、部材の１つが接地パッドに接続され、接地クリップ部材が２つの板間に接地接続を構成するためスペーサ部材に対してバイアスされた1対の対向するばね腕を有し、スペーサ部材が互いに向かう板の片寄りに抵抗する回路板組立体が提供される。
【０００９】
この配列で、板間の接地接触はキーボードが動くときでさえ確保される。キーボードがある固有の弾力を有する物質であるので、それはキーが押される領域で内側に押し下げられ、隣接領域で外側へ動く。隔離部材に対するばね腕のバイアスにより、キーボードのわずかな移動が起るときでさえ、２つの部材は依然として接触に留まるであろう。１組の接地クリップ構成要素より多くがキーボードに設けられてもよい。2つの板が一緒に連合または固定されるとき、隔離部材はクリップのばね腕間にまたはばね腕に対して強制され、板間の信頼できる接地接触を構成する。
【００１０】
本発明の特徴、目的および利点は、同じ参照符号が対応している同一物を示す図面と共に理解されるとき以下に示す詳細な記述からより明らかになるであろう。
【００１１】
好ましい実施例の詳細な説明
図１および２は発明の第1実施例による接地クリップ装置を示す。装置は、各々真鍮または他の同様な物質のような導電物質の２つの構成要素、隔離部材10およびばねクリップ部材12を含む。隔離部材10は、テーブルのような形を際立たせるため上方パネル13および下方に垂れ下っている脚14を有する。もし視覚上の選択および装置の配置の観点で要求されるなら、それはまた端タブ15を有してもよい。
【００１２】
ばねクリップ部材12は基部16と基部の対向する端から垂れ下っている1対のばね腕18とを有する。図示された実施例において、ばねクリップ部材は全般的に“口ひげ”形であり、クリップの各端で円の主要部分を形成するため下方かつ内側に曲げられた対向する端を有し、曲げられた領域20が互いに向かって内側に対面する物質の単一シートから形成される。
【００１３】
図２は、任意の通常の方法で連合されまたは互いに結合された２つの回路板22、24間に図１の接地クリップ装置を取りつけている図を示す。板は例えばセルラー電話または同等物の主要プリント配線板およびキーボードを含んでも良い。板24の1つは接地するために適当に結合されたその内側面に接地パッド26を有する。ばねクリップ12の基部16は接地パッド26と面と面の係合で適当に固く結ばれ、そのためばね腕は板から垂れ下りかつ第2の板22へ向かう。隔離部材10の２つの脚14は対向する板22の内面に設けられたはんだパッド28に適当に固く結合される。もし望まれるなら、板22に接地パッドと接地パッドに結合された隔離部材とを有して図示された配列が逆にされてもよい。
【００１４】
２つの板22、24が連合されるとき、隔離部材10は図２に示されたようにばねクリップ12の腕間で強制され、板間の電気的接地を構成する。ばね腕18は外側に強制され、その結果それらは脚14の対向している外側面に対して内側へバイアスされ、板が取り付けられた装置の使用中、もし板がわずかに動いても接地が維持されることを確保する。隔離部材10は板間の所望の“隔離”に依存した予定の高さがある。プリント配線板は全般的にいくらかの弾力を有する物質で作られ、その結果例えばキーボードは、ユーザがキーを押し下げるとき下に横たわっている主プリント配線板へ向かって片寄るかもしれない。隔離部材はかかるキーボードの片寄りを制限するために配列される。図２に示された実施例において、２つの板は隔離部材10の高さプラスばねクリップ部材12の基部16の厚さに等しい距離だけ離れて保持される。
【００１５】
図３および４は発明の第2実施例を示す。この実施例において、同じ隔離部材10が使用され、同様な参照番号が適当として使用された。しかし、ばねクリップ部材30がこの実施例において異なる。ばねクリップ部材30は基部32および１対の外側に傾斜されたばね腕34を有する。２つの部材は前の実施例と同じ方法で板22、24に固定される。
【００１６】
この場合、２つの板が連合されるとき、隔離部材10の上端はばね腕34に当接しそれらを上方および外側へ強制し、板間の電気的接地を構成する。腕は隔離部材の対向する縁に対してバイアスされ、その結果もし板24の片寄りがばねクリップ部材30のいくらかの移動を引き起こしても、電気的接地は維持されるであろう。同時に、隔離は隔離部材の高さに依存して板間で維持されるであろう。
【００１７】
図５−７は、異なるばねクリップ40が使用されるが、他の部品は前の実施例と同じであり、同様な参照番号が同様な部品に対して適当として使用された発明の第3実施例を示す。この実施例において、ばねクリップ40は基部42および各々全般的にＶ形である1対のばね腕44を有し、Ｖの頂点が他の腕に向かって内側に面し、ピンチまたは腰を提供している。
【００１８】
前の実施例と同じように、ばねクリップの基部42は板24の接地パッド26に固定され、一方隔離部材10は他の板22のはんだパッド28に固定される。この場合に、クリップ40および隔離部材10の寸法に依存して、図６および７に示される２つの二者択一の組立形態がある。図６の第1の形態において、無応力状態における２つのばね腕44の頂点間の離間は隔離部材10の幅よりほんのわずかに小さく、その結果板が連合されるとき、腕は脚14の回りに外側へバイアスされる。この場合、隔離部材は腕44間で握られ、脚14の対向する面に対する腕のバイアス力は板間の接地接触を維持する。
【００１９】
第2の実施例において、腕44の頂点間の離間が隔離部材の幅より小さいので、腕は部材10の回りを押圧することができない。代わりに、ばね腕44はアコーデオンのような方法で上方パネルにより上方に圧縮される。この形態において、板が連合されるとき、腕44は上方パネル13に対して下方にバイアスされ、板24のわずかな片寄りの場合でさえ板間の接地接触を維持する。
【００２０】
両形態において、隔離体は板24の下方の片寄りに抵抗を維持されるであろう。図６の形態において、板は隔離部材10の高さおよびばねクリップの基部42の厚さに等しい距離により離間を保持される。図７の形態において、板は隔離部材10の高さおよびその最小圧縮におけるばねクリップの高さに等しい距離により離間を保持されるであろう。
【００２１】
上記実施例の各々において、ばねクリップと隔離部材が連合されるとき信頼できる電気的接地が起る。隔離部材の対向する面に対してバイアスされるばね腕の弾力により、板のわずかな片寄りの場合でさえ接地は維持される。同時に、隔離部材が所望の距離だけ２つの板を離して保持するので、ユーザがキーを押し下げるとき、組立体はキーボードがあまり大きく片寄ることおよび下に横たわる構成要素を損傷することからから防ぐ作用がある。
【００２２】
発明の幾つかの好ましい実施例が例示的な方法によってのみ記述されたが、請求の範囲によって定義される発明の範囲から逸脱することなく、変形例が記述された実施例に対して作られ得ることがこの分野に熟練した者により理解されるであろう。
【図面の簡単な説明】
【図１】  発明の第1実施例によるばねクリップおよび隔離構成要素の遠近法図である。
【図２】  主回路板に取り付けられた隔離体に着座されたばねクリップを担持している回路板を示す、部分的に切り取られた側面図である。
【図３】  代わりのばねクリップの遠近法図である。
【図４】  図３のクリップの使用を示す側面図である。
【図５】  ばねクリップの他の型の遠近法図である。
【図６】  図５のクリップの一使用を示す側面図である。
【図７】  図５のクリップの代わりの使用を示す同様な側面図である。
【符号の説明】
10…隔離部材、12…クリップ部材、13…上方パネル、14…脚、16…基部、18…腕、22．24…回路板、26、28…接地パッド、30…クリップ部材、32…基部、34…腕、40…クリップ、42…基部、44…腕
【図１】
0004294861.tif 000002
【図２】
0004294861.tif 000003
【図３】
0004294861.tif 000004
【図４】
0004294861.tif 000005
【図５】
0004294861.tif 000006
【図６】
0004294861.tif 000007
【図７】
0004294861.tif 000008